Podtech/llm-jp-corpus-v4-ja_patent huggingface dataset:
(57)【要約】【課題】オオミジンコ（Ｄａｐｈｎｉａ　ｍａｇｎａ）の雄を簡便に効率的に生産する方法を提供する。【解決手段】本発明は、オオミジンコの雌の環境条件、特に明暗周期および給餌量を変化させて飼育することを特徴とするオオミジンコ（Ｄａｐｈｎｉａ　ｍａｇｎａ）の雄の生産方法であり、明暗周期を短日周期へ移行させ、かつ給餌量を低減させる方法である。【特許請求の範囲】
【請求項１】
明暗周期および給餌量を変化させて飼育することを特徴とするオオミジンコ（Ｄａｐｈｎｉａ　ｍａｇｎａ）の雄の生産方法。
【請求項２】
明暗周期を短日周期へ移行させ、かつ給餌量を低減させる請求項１記載の生産方法。
【請求項３】
餌濃度低減期間が１乃至４日間である請求項１または２記載の生産方法。
【請求項４】
給餌量を０とする請求項１乃至３のいずれかに記載の生産方法。
【請求項５】
明暗周期を、６〜９時間明、１８〜１５時間暗とし、給餌量を０とする請求項１乃至４記載の生産方法。
【発明の詳細な説明】
【０００１】
【産業上の利用分野】
本発明は、一般化学物質、農薬、天然物などの生態系への影響を評価する研究に用いられるオオミジンコ雄の生産方法に関する。
【０００２】
【従来の技術】
これまでオオミジンコは雌雄を区別することなく毒性評価試験に用いられてきたが、近年、種々の化学物質が環境ホルモンとして注目されるようになり、実験生物の雌雄を区別した試験系の開発が望まれている。
一般にミジンコ類は、普段は単為発生により雌のみを産出するが、環境条件が悪化した時に雄が現れる。例えば水温の低下、餌環境の悪化、光の短日周期化などである（花里隆幸、１９９８、『ミジンコ』名古屋大学出版会）。オオミジンコにおいても、通常長日周期で、環境条件が良好な場合は単為発生により雌のみを生産し、環境条件の変更により雄が産まれること、特に照明時間、飼育密度などが影響することが知られていた（Ａｎｄｅｒｓ　Ｈｏｂａｅｋ　ａｎｄ　Ｐｅｔｔｅｒ　Ｌａｒｓｓｏｎ，　１９９０，　Ｅｃｏｌｏｇｙ　７１（６），　ｐｐ．２２５５−２２６８）。
生物試験に使用するためには、簡便かつ効率的に一定時期に多数の雄個体が必要である。しかしながら、従来の知見では、正確に予測できる時期に雄を得ることが困難であった。また、生物試験に供するために十分な数の雄を同時に得る簡便な方法もみいだされていなかった。
また、生物試験により雌と比較するためには、生後２４時間以内の個体が必要である。ミジンコの雌雄は、外観的には主に第１触角の形状で判別されるが、肉眼では判別できず顕微鏡観察が必要である。したがって、いつ産まれた個体が雄であるかが予想できることは非常に有用である。
【０００３】
【発明が解決しようとする課題】
本発明は、一般化学物質、農薬、天然物などの生態系への影響を評価する研究に用いられるオオミジンコ雄を安定して必要固体確保できる生産方法を提供することを目的とする。
【０００４】
【課題を解決するための手段】
本発明は、オオミジンコの雌の環境条件、特に明暗周期および給餌量を変化させて飼育することを特徴とするオオミジンコ（Ｄａｐｈｎｉａ　ｍａｇｎａ）の雄の生産方法であり、明暗周期を短日周期へ移行させ、かつ給餌量を低減させる方法である。
【０００５】
【発明の実施の形態】
雄の生産は、以下のようにして行う。
通常の飼育条件下、即ち、長日周期（１２時間以上の照明時間）で十分な餌（単細胞緑藻、酵母など）を与えて飼育され、健康に単為発生を繰り返している雌から生まれた仔虫（この条件ではすべて雌）を、個別容器に入れ、通常の飼育水（脱塩素水道水、天然水、人工調製水など）、長日周期下、至適温度（１５から２５℃）で十分な餌を与えて飼育する。この条件であれば、通常１０日以内に第１回目の仔虫の産出があり、その後、２から３日おきに産出が繰り返される。雄を得るためには、いずれかの産出の１日前から１日後までのいずれかの時期に、産まれた仔虫は除去し、短日周期にすると同時に餌濃度を低下させる。この条件変化によって、その後２回目の産出時（次の次の産出時）に少なくとも半数の雄を得ることができ、ほぼ１００％雄を得ることができる場合もある。
餌濃度を低下させる期間は通常１乃至４日が好ましく、給餌を中止することによって餌濃度を低下させても良い。
【０００６】
【実施例】
以下、実施例により本発明を具体的に説明するが、本発明の範囲はかかる実施例に限定されるものではない。
実施例１
単為発生により産まれた雌を個別にガラス容器に収容し、飼育した（飼育密度：１個体／脱塩素水道水５０ｍＬ、照明：１６時間明８時間暗、水温２０℃）。毎日観察し、数日おきに飼育水を交換するとともに、毎日、緑藻および酵母を十分量給餌した。第１回目の仔虫の産出後、仔虫を除去し、飼育水を交換するとともに、十分量の餌を与えた後、照明時間を８時間明１６時間暗に変更した。その後４日間給餌を停止した。この条件変化により、３回目に産出された仔虫は、４例の合計で、雄４４個体、雌４５個体であった。
【０００７】
実施例２
実施例１と同様に、単為発生により産まれた雌を個別にガラス容器に収容し、飼育した（飼育密度：１個体／脱塩素水道水５０ｍＬ、照明：１６時間明８時間暗、水温２０℃）。毎日観察し、数日おきに飼育水を交換するとともに、毎日、緑藻および酵母を十分量給餌した。第１回目に産まれた仔虫は除去して飼育を続け、第２回目の仔虫の産出後、照明時間を８時間明１６時間暗、飼育密度を１個体／４０ｍＬに変化させるとともに、１個体については３日間、他の３個体については４日間給餌を停止した。この条件変化により、４回目に産出された仔虫は、４例の合計で、雄８２個体、雌１個体であった。
【０００８】
【発明の効果】
本発明によれば、オオミジンコの雄を簡便に効率良く一時期に十分な数提供できるため、一般化学物質、農薬、天然物などの生態系への影響を評価する研究に用いることができる。
(57)【要約】【課題】潮流に合わせてハリスの角度を作るウキを提供する。【解決手段】本体７頭部に扇形状の左右二等分に分けた塗装Ａ１０と塗装Ｂ１１の色違いの形を設けて、本体の重心より上側に左右対称の穴１４を空けて支柱１３とサルカン６の付いた傘９に設けた差込を本体穴１４に回転自在に設ける、傘９の塗装Ｃ１２の下に塗装Ａ１０及び塗装Ｂ１１が隠れる様に潮流８の速さにあつたオモリ４の取り替えを行う事で、上部の色が塗装Ｃ１２一色に変わる事で、理想的な角度が色でハッキリ解る事を特徴とする様に設ける。【選択図】　図１
2004049198.tif 000002
【特許請求の範囲】
【請求項１】
本体７頭部に扇形状の左右二等分に分けた塗装Ａ１０と塗装Ｂ１１の色違いの形が傘９の下に隠れる様に設けて、本体の重心より上側に左右対称の穴１４を空けて支柱１３とサルカン６の付いた傘９に設けた差込１６を本体穴１４に回転自在に設ける、傘９の塗装Ｃ１２の下に塗装Ａ１０及び塗装Ｂ１１が隠れる様に潮流８の速さにあつたオモリ４の取り替えを行う事で、上部の色が塗装Ｃ１２一色に変わる事で、理想的な角度が色でハッキリ解る事を特徴とする、潮流に合わせてハリスの角度を作るウキ。
【発明の詳細な説明】
【０００１】
【発明の属する技術分野】
この発明は、傘９の塗装Ｃ１２の下に塗装Ａ１０及び塗装Ｂ１１が隠れる様に潮流８の速さにあつたオモリ４の取り替えを行う事で、上部の色が塗装Ｃ１２一色に変わる事で、理想的な角度が色でハッキリ解る事を特徴とする、潮流に合わせてハリスの角度を作る釣具のウキに関する物である。
【０００２】
【従来の技術】
（イ）水中ウキを使用してハリスの角度をみていた。
【０００３】
（ロ）従来は、中通しウキか捧ウキでハリスを通すサルカンの位置がウキの下に固定している。
【０００４】
（ハ）従来のウキは、重りを替えても水面から見えるのは一色。
【０００５】
【発明が解決しようとする課題】
これは次のような欠点があった。
（イ）水が濁ると見えなくなる、深く沈むと見えない、取り付けが面倒。
【０００６】
（ロ）ウキの下で理想の釣れる角度が取れているのかどうか確認出来ない。
【０００７】
（ハ）オモリを取り替えても釣れる角度かどうかわからない。
本発明は、以上のような欠点を無くすためになされた物である。
【０００８】
【課題を解決するための手段】
（イ）本体７頭部に扇形状の左右二等分に分けた塗装Ａ１０と塗装Ｂ１１の色違いの形が傘９の下に隠れる様に設けて、本体の重心より上側に左右対称の穴１４を空けて支柱１３とサルカン６の付いた傘９に設けた差込１６を本体穴１４に回転自在に設けて、ハリス１にウキ止め３を付けてサルカン６に上から下へ通してオモリ４をセットして水面に浮かす様に設ける。
【０００９】
（ロ）潮流８が速い時ウキ止め３より下部が軽いと支柱１３と一緒に傘９とサルカン６が水平方向へ移動を行い塗装Ａ１０が目視出来る、反対に潮流８が遅い時ウキ止め３より下部が重いと支柱１３と一緒に傘９とサルカン６が垂直方向へ移動を行い塗装Ａ１０と反対側の塗装Ｂ１１が水面上から目視出来る場合ハリスの角度が理想的でないことが色で解る様に設ける。
【００１０】
（ハ）傘９の塗装Ｃ１２の下に塗装Ａ１０及び塗装Ｂ１１が隠れる様に潮流８の速さにあつたオモリ４の取り替えを行う事で、上部の色が塗装Ｃ１２一色に変わる事で、理想的な角度が色でハッキリ解る事を特徴とする様に設ける。
本発明は、以上の構成よりなる潮流に合わせてハリスの角度を作るウキである。
【００１１】
【発明の実施の形態】
以下、本発明の実施の形態について説明する。
本体頭部に扇形状の左右二等分に分けた塗装Ａと塗装Ｂの色違いの形が傘の下に隠れる様に設けて、本体の重心より上側に左右対称の穴を空けて支柱とサルカンの付いた傘に設けた差込を本体穴に回転自在に設けて、潮流が速い時ウキ止めより下部が軽いと支柱と一緒に傘とサルカンが水平方向へ移動を行い塗装Ａが目視出来る、反対に潮流が遅い時ウキ止めより下部が重いと支柱と一緒に傘とサルカンが垂直方向へ移動を行い塗装Ａと反対側の塗装Ｂが水面上から目視出来る場合ハリスの角度が理想的でないことが色で解る。
【００１２】
傘の塗装Ｃの下に塗装Ａ及び塗装Ｂが隠れる様に潮流の速さにあつたオモリの取り替えを行い調整する事でウキ上部の色が塗装Ｃ一色に変わる事で、理想的角度を色で示す。
本発明は、以上のような構成より成っている。
【００１３】
本発明を使用するときは、ハリスにウキ止めを付けてサルカンに上から下に通してオモリと針に餌をセットして水面に浮かべる。
【００１４】
その結果、理想的な角度が色でハッキリ解る事を特徴とする、潮流に合わせてハリスの角度を作るウキ。
【００１５】
【発明の効果】
（イ）本体７頭部に扇形状の左右二等分に分けた塗装Ａ１０と塗装Ｂ１１の色違いの形が傘の下に隠れる様に設けて、本体の重心より上側に左右対称の穴１４を空けて支柱１３とサルカンの付いた傘９に設けた差込１６を本体穴１４に回転自在に設けて、ハリス１にウキ止め３を付けてサルカン６に上から下に通してオモリ４をセットして水面に浮かす様に設ける事で、水が濁ると見えなくなる、深く沈むと見えない、取り付けが面倒、の問題が無くなった。
【００１６】
（ロ）潮流８が速い時ウキ止め３より下部が軽いと支柱１３と一緒にサルカン６が水平方向へ移動を行い塗装Ａ１０が目視出来る、反対に潮流８が遅い時ウキ止め３より下部が重いと支柱１３と一緒にサルカン６が垂直方向へ移動を行い塗装Ａ１０と反対側の塗装Ｂ１１が水面上から目視出来る場合ハリスの角度が理想的でないことが色で解る様に設ける事で、ウキの下で理想の釣れる角度が取れているのかどうか確認出来る。
【００１７】
（ハ）傘９の塗装Ｃ１２の下に塗装Ａ１０及び塗装Ｂ１１が隠れる様に潮流８の速さにあつたオモリ４の取り替えを行う事で、上部の色が塗装Ｃ１２一色に変わる事で、理想的な角度が色でハッキリ解る事を特徴とする様に設ける事で、オモリを取り替えても釣れる角度かどうかわからない事が無く成り、極めて良く釣れる。
本発明は、以上の構成よりなる潮流に合わせてハリスの角度を作るウキである。
【図面の簡単な説明】
【図１】（Ａ）本発明の潮流の速い使用状態を示す横外観図である。
（Ｂ）本発明の潮流の遅い使用状態を示す横外観図である。
【図２】本発明の潮流の遅い使用状態を示す正面断面図である。
【図３】本発明の潮流の遅い使用状態を示す横断面図である。
【図４】本発明の理想的使用状態を示す横外観図である。
【符号の説明】
１ハリス　　　　　　　　　９傘
２水面　　　　　　　　　１０塗装Ａ
３ウキ止め　　　　　　　１１塗装Ｂ
４オモリ　　　　　　　　１２塗装Ｃ
５針　　　　　　　　　　１３支柱
６サルカン　　　　　　　１４穴
７本体　　　　　　　　　１５自立オモリ
８潮流　　　　　　　　　１６差込
【図１】
2004049198.tif 000003
【図２】
2004049198.tif 000004
【図３】
2004049198.tif 000005
【図４】
2004049198.tif 000006
(57)【要約】【課題】熱風及びスチームで畳を加熱することで害虫を殺虫する器具を提供する。【解決手段】温熱カバーのヘリ（２）のついた温熱カバー（１）に温風導入パイプ（４）をつけそこから熱風およびスチームを内部に送り込む事を特徴とする。【選択図】図１
2004049194.tif 000002
【特許請求の範囲】
【請求項１】
温熱カバーのヘリ（２）が全周ついた温熱カバー（１）に温風導入パイプ（４）をつけた畳用殺虫器。
【発明の詳細な説明】
【０００１】
【発明の属する技術分野】
この発明は、全周にへりのついた温熱カバーに温熱導入パイプをつけた畳用殺虫器に関するものである。
【０００２】
【従来の技術】
従来畳の表面や内部に住むダニなどの害虫を殺す場合には、畳にさすための針のついた殺虫スプレーで駆除していた。
【０００３】
【発明が解決しようとする課題】
これには次のような欠点があった。
（イ）針の周囲の限られた狭い範囲しか殺虫できないので何回も繰り返さなくてはならなく、ムラができやすいので完全に処理することは難しかった。
（ロ）殺虫有効範囲が狭いので、針から少しでも離れると害虫の致死量に達することができないため、害虫が殺虫剤の成分を嫌って移動してしまい、結局殆どの害虫を追い掛け回し移動させる為だけの鬼ごっこの状態になってしまう。
（ハ）殺虫成分が畳の中に確実に残る為、人体に悪影響を及ぼす。
本発明はこれらの欠点を除く為になされたものである。
【０００４】
【課題を解決すめための手段】
温熱カバーのヘリ（２）のついた温熱カバー（１）に温風導入パイプ（４）をつけそこから熱風およびスチームを内部に送り込む。
本発明は以上のような構成よりなる畳用殺虫器である
【０００５】
【発明実施の形態】
以下、本発明の実施例について説明する。
（イ）温熱カバーのヘリ（２）が全周についた温熱カバー（１）に温風導入パイプ（４）をつける
（ロ）温熱カバーのヘリ（２）を畳（１）と畳（１）の間、ないしは畳（１）と壁（５）の間に差し込む。
本発明は以上のような構造で、これを使用するときは、温風導入パイプ（４）
から熱風及びスチームを送り込むことで畳の中の害虫を効率的に駆除する。
【０００６】
【発明の効果】
このように一畳分の害虫駆除を一回で短時間で済ますことができる一方、温熱カバーのヘリ（２）を差し込むので熱及びスチームが拡散することもなく畳の中の害虫が他の場所に逃げることができなくなるので害虫を根こそぎ駆除することができ、薬剤を使わないので人体に悪影響を及ぼすことがない。
【図面の簡単な説明】
【図１】
本発明の斜視図である。
【図２】
本発明の断面図である。
【符号の説明】
１　畳
２　温熱カバーのヘリ
３　温熱カバー
４　温風導入パイプ
５　壁
【図１】
2004049194.tif 000003
【図２】
2004049194.tif 000004
(57)【要約】【目的】簡単に実施できると共におからが出ない大豆まるごと豆腐．豆乳を使いより風味が引き出され栄養価値が高いババロアムースの製造方法を提供する。【構成】おからのでない大豆まるごと豆腐．豆乳にかぼちゃ．ムース．チョコレートなどの自然食品及び合成着色料と牛乳．チーズ．砂糖にナトリウムなどの凝固剤を使った舌ざわりの良いババロアムースなどの甘味食。【特許請求の範囲】
【請求項１】
おからのでない大豆まるごと豆腐を使い、砂糖．チーズ．牛乳．自然食品及び合成着色料を使った甘味食の製造方法。
【請求項２】
おからのでない大豆まるごと豆乳を使い、砂糖．チーズ．牛乳．自然食品及び合成着色料を使った甘味食の製造方法。
【発明の詳細な説明】
【０００１】
【発明が属する技術分野】
この発明はおからのでない豆腐．豆乳を利用した甘味食品の製造方法に関するものである。
【０００２】
【従来の技術】
従来、豆腐は食品として主に利用され、別の食材に利用されている場合もあるが大豆まるごと豆腐．豆乳を使う甘味食は使われいなかった。
【０００３】
【発明が解決しようと解決しようとする課題】
おからがでない大豆まるごと豆腐．豆乳を利用することによってムース．ババロア．プリンなどの甘味食を豆腐本来の風味をなくすことなく手軽に幅広く利用すること。
【０００４】
【解決するための手段】
まずおからの出ない大豆まるごと豆腐と豆乳を作り、それに砂糖．チーズ．生クリームと用途によってブルーベリー．チョコレートなどの（自然食品及び合成着色料）ナトリウムなどの凝固剤を使いババロアムースを作る。
【０００５】
【発明の実施の形態】
まずおからの出ない大豆まるごと豆腐．豆乳を使ったババロアムースを作るためおからのでない大豆まるごと豆腐．豆乳を作る。
１０ミクロン前後で精製された大豆と食塩．安定（炭酸カルシウム６０％植物性４０％）を５〜１０分混合機で混ぜ合わせ混合溶解が終了したら煮沸釜へ大豆液を移し乾燥豆へ充分に水分を含ませるために５〜６０分の範囲でそのままに熟成させる。
大豆液の熟成が終了したら煮沸釜を圧力１．５Ｋ　１１０℃にし６〜９分間煮沸する。煮沸が終了したら貯乳タンクに移す。（この状態で豆乳の完成）貯乳タンクの温度が７０℃になったらタンクの豆乳をバケツで１箱分（１４ｌの箱型）に移す豆腐の温度が６３〜６８℃の範囲にあることを確認し、にがり水と凝固促進剤を豆乳に振りかけように添加する（にがり水と凝固促進剤は反応を制御するため必ず豆腐を凝固させる直前に混合する）
箱型の豆乳を３０〜６０分凝固させる。凝固が終了したら裁断具を箱型へ正確にあて裁断する。裁断が終了したら水を張った水槽へ豆腐をあける。豆腐パック容器を準備し水槽から壊さないように綺麗な水と共にパック詰めする。完成した豆腐を冷水装置で６０分急冷する。これで豆腐が完成する。
【０００６】
おからのでない大豆まるごと豆腐．豆乳と砂糖．チーズ．生クリームとブルーベリー．チョコレートなど（自然食品及び合成着色料）とナトリウムなどの凝固剤を使いそれらを加熱処理し混ぜ合わせ冷し固める。
【０００７】
【実施例】
本発明のババロアムースの製造方法
第１工程
おからのでない大豆まるごと豆腐１丁．砂糖５０ｇ．牛乳４００ｃｃ．凝固させるための市販のナトリウム１５ｇ．ブルーベリージャム５０ｇをミキサーにかける
第２工程
１工程に生クリーム２００ｃｃを加え１分５０秒から２分間火にかける。
第３工程
専用カップに流し空気を抜き、凝固するまで２時間冷蔵庫で冷やす。
【０００８】
本発明の豆乳のババロアムースの製造方法説明
第１工程
おからのでない大豆まるごと豆乳４４０ｃｃ．砂糖５０ｇ．牛乳２００ｃｃ．凝固させるための市販のナトリウム１５ｇ．かぼちゃ２４０ｇをミキサーにかける。
第２工程
１工程に生クリーム２００ｃｃを加え１分５０秒から２分間火にかける。
第３工程
専用カップに流し空気を抜き、凝固するまで２時間冷蔵庫で冷やす。
【０００９】
【発明の効果】
おからのでない大豆まるごと豆腐．豆乳を使用するため普通の豆腐．豆乳を使った甘味食より栄養豊富であるばかりでなくカロリーを低く抑えられ、いろんな形態にしかも手軽に使用が可能である。
(57)【要約】〔課題〕部屋の美感を低下させ、部屋が揺れた時その揺れている部屋にたいして床の上に揺れない家具とを連結すると連結部分の弱い所が破壊する恐れが有る。〔解決手段〕家具底に収納庫を設け非常食を入れる又は、家具自体にウエイト材を取り付けて家具を不動の物とする。【選択図】　　図１ID=005006 HE=135 WI=154 LX=0000 LY=0000>
2004049904.tif 000002
【特許請求の範囲】
【請求項１】
家具の底に収納庫を設け非常食の米や缶詰など重量物を入れて置事によって家具の中心が家具の底に近付き家具の転側を防止する加重式装置。
【請求項２】
家具の底や裏並びに家具の引き出しの奥や底に加重物として適材適所の建材の中から規格成型したウエイト材を家具底部分に加えて家具の転側を防止する加重式装置。
【発明の詳細な説明】
【０００１】
〔発明の属する技術分野〕
本発明は、家具の転側防止装置の加重方法に関する。
【０００２】
〔従来の技術〕
従来の家具の転側防止装置においては、家具の上面と天井の間に、ツッパリ棒を立てたり、家具を壁などに連結金具などが提案されている。
【０００３】
〔発明が解決しようとする課題〕
従来の家具の転側防止装置にあっては、部屋の美感を低下させ又は、大地震の揺れや計り知れない衝撃によって部屋の天井や壁の揺れと床の上に置いた家具の揺れに違いが有る為に連結部分が破壊してしまう恐れが有り家具を部屋と連結しないで家具の転側を防止をしなければならないという問題点があった。
【０００４】
〔課題を解決するための手段〕
上記目的を達成するために、本発明の家具の底に収納庫を設けて、中に非常食を入れその重量が家具の重心を家具の底に近付き家具自体が不動に成る。
【０００５】
また、家具の底や裏並びに家具の引き出しの底や奥にウエイト材を
規格成型して取り付けて家具を不動の家具に成る。
【０００６】
さらに、家具の上面には連結部材が無く成り部屋の美感も損なわ無い。
【０００７】
〔発明の実施の形態〕
発明の実施の形熊を実施例にもとづき図面を参照して説明する。
図１において、１の家具の底に作るＡの収納庫の断面図
図２において、１の家具の裏に取り付けたＡのウエイト材の断面図
図３において、１の家具の底にＡのウエイト材を取り付けた断面図
図４において、１の家具の引き出しの底にウエイト材を置いた断面図。
【０００８】
〔発明の効果〕
本発明は、以上説明したように構成されているので、以下に記載されるような効果を奏する。
【０００９】
部屋の天井や壁と家具を連結しないので、部屋の美感を低下させず家具自体が加重によって不動の家具に成る。
【図面の簡単な説明】
【図１】家具の底に作る収納庫の断面図である。
【図２】家具の裏に取り付けたウエイト材の断面図である。
【図３】家具の底にウエイト材を取り付けた断面図である。
【図４】家具の引き出しの底にウエイト材を置いた断面図である。
【符号の説明】
１　　家具
Ａ　　ウエイト材
【図１】
2004049904.tif 000003
【図２】
2004049904.tif 000004
【図３】
2004049904.tif 000005
【図４】
2004049904.tif 000006
(57)【要約】【課題】本発明は、まな板の下部に引き出し式の収納具を設け、食材がまな板の周囲に散らばらないようにし、まな板の下部に高さ調整のための台座を設けた、引き出し式まな板を提供する。【解決手段】まな板（１）の底に側板（３）を設ける。そして側板（３）の底に支板（４）を設ける。台座（５）の上に突起（６）を設け、支板（４）の底の穴（９）に突起（６）を挿入自在に設ける。台座（５）の底面にすべり止め（７）を設ける。まな板（１）の側板（３）（３）の間に、引き出し（８）を挿入自在に設ける。【選択図】　　　　図１
2004049844.tif 000002
【特許請求の範囲】
【請求項１】
まな板（１）の底に側板（３）（３）を設け、側板（３）（３）の下面に支板（４）（４）を設け、側板（３）（３）の間に引出しを出し入れ自在に挿入し、台座（５）の上面に突起（６）を設け、突起（６）は支板（４）の底の穴（９）に挿入自在に設ける。
以上よりなる引き出し式まな板。
【発明の詳細な説明】
【０００１】
【発明の属する技術分野】
この発明は、まな板の下部に引き出し式収納具を設けた、引き出し式まな板に関するものである。
【０００２】
【従来の技術】
従来のまな板は、１枚板で出来ていて、表面で食材を切断するために利用されている。。
【０００３】
【発明が解決しようとする課題】
これは、次のような欠点があった。
イ．食材を切ったときに、材料がまな板の周囲に散らばる。
ロ．まな板は１枚の平板であるために、高さ調節が出来ない。
ハ．まな板自体がすべりやすく置いた時に不安定。
本発明は、以上の欠点を解決するためになされたものである。
【０００４】
【課題を解決するための手段】
まな板（１）の底に側板（３）を設ける。そして側板（３）の底に支板（４）を設ける。台座（５）の上に突起（６）を設け、支板（４）の底に穴（９）を設け、突起（６）を穴（９）に挿入自在にする。台座（５）の底面にすべり止め（７）を設ける。
まな板（１）の側板（３）（３）の間に、引き出し（８）を挿入自在に設ける。
【０００５】
【発明の実施の形態】
以下、本発明の実施の形態を説明する。
イ．長方形状の平板からなるまな板（１）の両側の下面に側板（３）（３）を設ける。
ロ．側板（３）（３）の下面に支板（４）（４）を設ける。
ハ．側板（３）（３）と支板（４）（４）に囲まれた空間に、引き出し（８）を挿入自在に設ける。
ニ．長方体の台座（５）の上面に突起（６）を２個設ける。
ホ．支板（４）（４）の底面に穴（９）（９）を設ける。
ヘ．台座（５）の突起（６）（６）を支板（４）（４）の下面の穴（９）に挿入自在に設ける。
ト．台座（５）の下面にゴム等からなるすべり止め（７）を設ける。
本発明は以上の構成よりなる。
本発明を使用するときは、台座（５）をまな板（１）の下部に取り付けることにより高さを調整する。
食材を引き出し（８）に必要に応じて入れる。また、引き出し（８）は、取りだし自在である。
【０００６】
【発明の効果】
本発明を使用することによって、まな板の高さを自由に調整できる。またすべり止めにより安定する。さらに、食材を周囲に散らかす事も無くなる。
【図面の簡単な説明】
【図１】本発明の分解斜視図
【図２】本発明の断面図
【図３】本発明の裏面図
【符号の説明】
（１）はまな板
（２）は把手
（３）は側板
（４）は支板
（５）は台座
（６）は突起
（７）はすべり止め
（８）は引き出し
（９）は穴
【図１】
2004049844.tif 000003
【図２】
2004049844.tif 000004
【図３】
2004049844.tif 000005
(57)【要約】　　　（修正有）【課題】用途拡大を図った支持板を有する携帯用書見器を提供する。【解決手段】書見台１とクロスする支持板２の側面に、連続する凹凸歯１０を形成し、クロスする４コーナーを、凹凸歯１０と噛み合う４本の爪を有するホルダによってスライド不能の状態に固定し、本の重さで支持板２が下方に降りるのを防止する。【選択図】　図２
2004049847.tif 000002
【特許請求の範囲】
【請求項１】
本人出願人による特願２００２−１７９１９１「支持板を有する携帯用書見器」において、支持板２の両側面に連続した凹凸歯１０を形成したこと。
【発明の詳細な説明】
【０００１】
【産業上の利用分野】
本発明は、書見器および読書スタンドに関する。
【０００２】
【従来の技術】
本案は、本人出願人による特願２００２−１７９１９１「支持板を有する携帯用書見器」の用途を拡張するための関連出願である。
【０００３】
【発明の解決しようとする課題】
特願２００２−１７９１９１「支持板を有する携帯用書見器」は、テーブルに本の傾斜させて読む、折畳式の携帯用書見器である。
この携帯用書見器は、テーブルの上に置いて使用するもので、パソコンテーブルなどの狭いスペースでは使用しにくいという欠点を持っている。
本案では、この書見器を、ホルダに着脱できるようにして、パソコンテーブルやその支柱などに固定したアームを介して使用することが出来るようにして用途の拡張を実現するものである。
【０００４】
【課題を解決するための手段】
本課題を解決する手段として、支持板２の両側面に連続した凹凸歯１０を形成する。一方これを保持するホルダ１１には、書見器に直交する支持板の４交点を挟持する爪１２を構成し、各爪には支持板の凹凸歯に噛み合う歯を形成する。
【０００５】
【作用】
書見台１に直交する支持板２は、ガイド軸３によりガイド溝５に沿って上下にスライド可能に構成されているが、直交する４交点を支持板の凹凸歯１０に噛み合う歯を有するホルダ１１の爪に挟持されることにより、スライドは停止、固定される。従って、ホルダ１１に装着された書見器においては、載せた本の重さでホルダに直交する支持板２が下降することはない。
【０００６】
【実施例】
以下図面に基づきその詳細を説明する。
［図１］は、本出願による書見器の正面図である。
支持板２の側面には連続した凹凸歯１０が形成されている。
［図２］は、本出願による書見器の支持板を直交させた平面図である。
［図３］は、本書見器をホルダ１１に装着した側面図である。
ホルダ１１の４本の爪１２は、書見台１と支持板２がクロスする４交点を挟持する。爪１２は、支持板２の左右の側面の凹凸歯１０との噛み合い構造を有している。従って書見台１とクロスする支持板２は、ホルダ１１によってスライド不能の状態に固定され、書見台に登載した本の重さで支持板２が下方に降りてくることを防止することが出来る。
［図４］は、書見器を挟持するホルダの平面図で、支持板２を左右の爪１２が挟み込んでいる様子を表わしている。
［図３］において、ホルダ１１は直立する支持棒１３に装着され、爪１２は支持棒１３に対して１５度ほどの傾斜に設定されている。これは、パソコンラックなどの支柱に固定して使用する時に読みやすい角度であると同時に、ホルダを１８０度反転させて支持棒に装着すれば、ホルダは１５度の逆傾斜となり、ベットで仰向けになって読む読書スタンドを構成するのに便利な配慮に基づくものである。
【０００７】
【発明の効果】
１．ホルダとの組み合わせにより、支柱に取り付けることが可能になるので、パソコンの入力作業の能率向上や、台所のスチールラックにレシピ本をセットして使用するなど、用途拡大に寄与するものである。
２．ホルダとの組み合わせによりベットで寝た状態でも起きた状態でも読書が出来る読書スタンドを構成することが可能である。
【図面の簡単な説明】
【図１】は、本案による書見器の正面図
【図２】は、支持板を直交させた平面図
【図３】は、ホルダに装着した側面図
【図４】は、ホルダ平面図
１．書見台　　　　　　　２．支持板
３．ガイド軸　　　　　　４．ストッパー
５．ガイド溝　　　　　　６．ページ押さえ
７．スタンド　　　　　　８．本
９．テーブル　　　　　１０．凹凸歯
１１．ホルダ　　　　　　１２．爪
１３．支持棒
【図１】
2004049847.tif 000003
【図２】
2004049847.tif 000004
【図３】
2004049847.tif 000005
【図４】
2004049847.tif 000006
(57)【要約】【課題】乗り物玩具用人形を色々な乗り物玩具に乗せられるように形状の微調整を自由に出来るようにし、なおかつ乗り物玩具に乗せた状態の形状から、たったポーズ等その他のポーズを自由に取れるようにし、なおかつ外側から関節のジョイントを無くし外観を良くする。【解決手段】針金１の周りに軟質ゴム２で人形３を成形する。【選択図】　図１
2004049846.tif 000002
【特許請求の範囲】
【請求項１】
針金で、人形の骨組みを作り、その周りに軟質ゴムで人形を成形する事により、人形の形状を自由に変形及び保持出来るようにした、乗り物玩具用人形。
【発明の詳細な説明】
【０００１】
【発明の属する技術分野】
本発明は、針金で、人形の骨組みを作り、その周りに軟質ゴムで人形を成形する事により、人形の形状を自由に変形及び保持出来るようにして、乗り物玩具に乗せたり、色々なポーズを楽しめるようにしたものである。
【０００２】
【従来の技術】
従来の乗り物玩具用人形は、固定式で、乗り物に乗せる事は出来るが、自由に形状を変形する事が出来ないのがほとんどだ、又、形状を変形出来るものも少数あるが、関節が繋ぎ目になっていて外観があまり良くなく、変形に制限があった、又、ゴム人形に針金を入れたものもあるが、手、足、胴体等にそれぞれ針金が入っているため、手、足、胴体等それぞれの変形は出来るが人形全体での自由な変形は、不可能であった。
【０００３】
【発明の実施の形態】
本発明は、人形の形状を自由に変形、微調整を保持する事により、同じ一つの人形で色々な乗り物玩具に乗せる事が出来るようにし、かつ乗り物玩具に乗せる以外のポーズも楽しめるようにし、関節のジョイントが無いため外観も良い人形である、それを図面について説明すれば、針金１人形の骨組みにし、その周りに軟質ゴム２で人形を成形した物である。
【０００４】
【発明の効果】
このようにすれば、人形の形状を微調整出来るので、同じ一つの人形で色々な乗り物玩具に乗せる事が出来る。また、乗り物玩具に乗せる以外にも色々なポーズが楽しめる。また、外側に関節のジョイントが無いため外観が良く、ディスプレイとして楽しめる。
【図面の簡単な説明】
【図１】人形の断面図である。
【図２】人形の平面図である。
【図３】人形を乗り物玩具に乗せた時の断面図である。
【符号の説明】
１　　針金
２　　軟質ゴム
３　　人形
４　　乗り物玩具
【図１】
2004049846.tif 000003
【図２】
2004049846.tif 000004
【図３】
2004049846.tif 000005
(57)【要約】［課題］自動炊飯器において、炊いて冷えた御飯を釜ごと電子レンジに掛けて温めることが出来るようにしたい。［解決手段］自動炊飯器において、釜を耐熱ガラス製にし、保温装置は設けず、冷めた御飯を釜ごと電子レンジで温めうるようにした、自動炊飯器。【選択図】　なし。【特許請求の範囲】
【請求項１】
電気自動炊飯器において、釜を耐熱ガラス製にし、保温装置は設けず、冷めた御飯を釜ごと電子レンジで温めうるようにした、電気自動炊飯器。
【請求項２】
ガス自動炊飯器において、釜を耐熱ガラス製にし、保温装置を設けず、冷めた御飯を釜ごと電子レンジで温めうるようにした、ガス自動炊飯器。
【発明の詳細な説明】
【０００１】
［発明の属する技術分野］
本発明は自動炊飯器に関するものである。
【０００２】
［発明が解決しようとする課題］
従来の自動炊飯器は数食をまとめて炊いておき、二回目以後のために保温装置で保温を続けていた。しかし長く保温を続けると、御飯が乾いて固くなり、変色したり、匂いが着いたりする。特に釜の内側には御飯がこびり着いて杓子で擦っても取れなくなる。
そこで以前その対策として、釜の中央にポットを設けて水を入れておくことを発明したが、後にあまり効果の無いことが判った。
私は現在ガス自動炊飯器を用いているが、保温は止めて、食事の度に茶碗に盛って水を少し掛けて電子レンジで温めている。炊き立て程ではないが、おいしい温かい御飯となる。どの家庭でもこう言うことが便利よく出来るとよい。釜ごと電子レンジ掛けられるようになると叶えられる。
しかし夏が来て、保温しないと、御飯が長く保たなくなった。冷飯を冷蔵庫で保存したい。しかし適当な容器に移し換えるのは面倒である。
【０００３】
［課題を解決するための手段］
そこで、暑い時期には冷飯を釜ごと冷蔵庫に入れて置かれ、食事の時釜ごと電子レンジで温めることが出来るようにしたい。
その手段は「特許請求の範囲」の通りである。
なお釜にはプラスチックの蓋を設けうるようにしたい。
【０００４】
［発明の効果］
私は独り者であるので、電子レンジで私の分だけを茶碗で温めているが、家族のある人はそれでは面倒なので本発明の釜で温めて銘々の茶碗に盛り分けて行けることになる。
従来の電気自動炊飯器の特にガス自動炊飯器の保温装置は、案外ワットが高い上に連続して長時間使用するので、意外に電気を食う。その意味で本発明は省エネ製品と言えよう。
出来るだけ早く実用化して、従来の自動炊飯器で困っている方に買い替えてもらえるようにしたい。
(57)【要約】【課題】バスタブに浸からず、シャワーのみで済ます人用に、お湯の掛かりにくい所の、血行促進や、清潔さの向上を提供する。【解決手段】風呂椅子（１）の上部（２）を窪ませ、そこに湯（４）が溜まるようにし、尻部（５）が浸かるようにして、清潔さや、血行促進を、促すものである。【選択図】　　図２
2004049842.tif 000002
【特許請求の範囲】
【請求項１】
腰を下ろした尻部に、お湯が溜まり、尻部が、お湯に浸かるようにした椅子。
【発明の詳細な説明】
【０００１】
【産業用の利用分野】
この発明は、バスタブに浸からず、シャワーのみで済ます人用に、お湯の掛かりにくい所の、血行を良くし、また清潔さも向上し、痔の予防にも、役立つものと思われる。
【０００２】
【従来の技術】
シャワーだけでは、温めることが出来にくい所がある。
【０００３】
【発明が解決しようとする課題】
これには次のような欠点があった。
（イ）　シャワーだけでは、お湯が行き届かず、清潔さが保てない。
（ロ）　シャワーだけでは、血行の良くない所もでてくる。
本発明は、これらの欠点を除くためになされるものである。
【０００４】
【課題を解決するための手段】
風呂椅子（１）の上部（２）を窪め、そこに湯（４）が溜まるようにし、尻部（５）が浸かるようにしたもので、底に小さな水抜き穴（３）を、空ければ、水切りもできる。
本発明は、以上のような構造のものである。
【０００５】
【発明の実施の形態】
以下、本発明の実施例について説明する。
（イ）　風呂椅子（１）の、上部（２）を窪ませる。
（ロ）　上部（２）の底に、小さな水抜き穴（３）を設けてもいい。
（ハ）　上部（２）に、シャワーのお湯（４）が溜まり、尻部（５）が温められるようになる。
本発明は以上のような構造で、尻部がお湯に浸かり、血行を良くし、清潔さも、良くなるものと思われる。
【０００６】
【発明の効果】
これには次のような効果がある。
（イ）　シャワーだけでは、得られない血行促進効果がある。
（ロ）　シャワーだけより、清潔さも良くなる。
本発明は、これらの効果をもたらすものである。
【図面の簡単な説明】
【図１】
【図２】
本発明の参考図である。
【符号の説明】
１　風呂椅子
２　上部
３　水抜き穴
４　湯
５　尻部
【図１】
2004049842.tif 000003
【図２】
2004049842.tif 000004
(57)【要約】【課題】従来のうちわは、竹やプラスチックの骨で製作されていたため全体的に硬く、あおぐのにある程度の力が必要であった。広告媒体となっているうちわの平面部は骨に貼り込んであるため図柄や文字が見づらくなっており、形状もある程度決まったものしか製作できなかった。【解決手段】柄とうちわの平面部のつなぎに使用するばね又は板ばねの伸縮によって従来よりも少ない力で風を起こせるようにした。広告媒体であるうちわの平面部を紙とパウチのみで製作することによって、従来より見やすくなりデザインの自由度も向上した。また、うちわの平面部は大きさの異なる紙を重ねあわせ、柄に近い部分を厚く外周にいくほど薄くする。これにより、紙とパウチだけでも風を送るのに充分な強度を得ることができた。【選択図】　図１
2004049843.tif 000002
【特許請求の範囲】
【請求項１】
柄とうちわの平面部の間にばね又は板ばねを装着したことを特徴とするうちわ。
【請求項２】
うちわの平面部を竹やプラスチックの骨を使わずに、紙とパウチのみで製作する請求項１記載のうちわ。
【請求項３】
うちわの平面部を、柄に近い部分が厚く、外周にいくほど薄くなるという特徴を持つ請求項１・請求項２記載のうちわ
【発明の詳細な説明】
【０００１】
【発明の属する技術分野】
本発明は、あおぐことによって風を起こすうちわに関するものである。
【０００２】
【従来の技術】
柄と一体になった竹又はプラスチックの骨に紙又は布を貼り付ける。貼り付ける紙又は布には、図柄や文字を入れ、広告媒体として使用される。
【０００３】
【発明が解決しようとする課題】
うちわの平面部と柄が一体化され固定されてあるので、あおぐときにある程度力をこめないといけない。うちわの平面部を広告媒体として使用する場合、骨に貼るため図柄や文字が見づらくなる。また、骨を使用するため変化に富んだ形状を作成するのは困難である。
【０００４】
【課題を解決するための手段】
本発明は、うちわの平面部と柄のつなぎにばね又は板ばねを使用し、また、うちわの平面部を複数枚の紙とパウチのみで作成することによって上記課題を解決したものである。
【０００５】
【実施例】
本発明のばね付骨無しうちわは、図１・図２に示されるように、うちわの平面部１と柄４のつなぎにばね３を使用する。
【０００６】
うちわの平面部１は、図５・図６で示している。大きさを変えた紙１Ｂ・１Ｃ・１Ｄ・１Ｅ・１Ｆ・１Ｇを貼り合わせ、パウチ１Ａ・１Ｈではさみこむ。
【０００７】
【発明の効果】
請求項１記載の発明によれば、柄を持ってあおいだときに、取り付けているばねの伸縮によって従来よりも少ない力で風を起こすことができる。請求項２記載の発明によれば、骨を使用せずにうちわの平面部を作成できるため、従来よりも見やすい表面処理となり、また紙とパウチのみを使用しているため変化に富んだ形状を製作するのが容易である。請求項３記載の発明によれば、うちわの平面部は、大きさの異なる紙を重ねあわせ柄に近い部分を厚く外周にいくほど薄くする。これにより、紙とパウチだけでも風を送るのに充分な強度を得ることができる。
【図面の簡単な説明】
【図１】本発明に係るうちわの正面図である。
【図２】本発明に係るうちわの側面図である。
【図３】本発明に係るうちわの上面図である。
【図４】本発明に係るうちわの底面図である。
【図５】本発明に係るうちわの内部構造の詳細側面図である。
【図６】本発明に係るうちわの内部構造の詳細正面図である。
【符号の説明】
１・・・・・・・図５の１Ａ〜１Ｈを接着し、うちわの平面部とする。
３・・・・・・・ばね又は板ばね
４・・・・・・・柄
１Ａ・１Ｈ・・・パウチ
１Ｂ〜１Ｇ・・・うちわのベースである紙
【図１】
2004049843.tif 000003
【図２】
2004049843.tif 000004
【図３】
2004049843.tif 000005
【図４】
2004049843.tif 000006
【図５】
2004049843.tif 000007
【図６】
2004049843.tif 000008
(57)【要約】【課題】パンスポリン静注用１ｇバックに従来の疎水性フィルター付点滴セットを装着後、パンスポリン静注用１ｇバック内の気体が疎水性フィルターから過剰に抜け出てしまい、パンスポリン静注用１ｇバック内の圧力が低下してしまうことにより、点滴が終了する前に滴下しなくなる不具合を解消すること。【解決手段】疎水性フィルター付点滴セットの点滴筒にある疎水性フィルターの通気孔を点滴使用前は閉じておき、点滴使用時に開くことができるような部品を取り付けた。【選択図】　図１
2004049822.tif 000002
【特許請求の範囲】
【請求項１】
疎水性フィルター付点滴筒にある疎水性フィルターの通気孔を閉じる部品。
【発明の詳細な説明】
【０００１】
【発明の属する技術分野】
本発明は、疎水性フィルター付点滴筒にある疎水性フィルターの通気孔を閉じる部品に関する。
【０００２】
【従来の技術】
従来の疎水性フィルター付点滴セット（医療用具承認番号１６２００ＢＺＺ０１１７６）は、パンスポリン静注用１ｇバック専用の点滴セットとして、点滴筒内の液面低下を防ぐために開発された。しかし、パンスポリン静注用１ｇバックに従来の疎水性フィルター付点滴セットを装着後、パンスポリン静注用１ｇバック内の気体が疎水性フィルターから過剰に抜け出てしまい、パンスポリン静注用１ｇバック内の圧力が低下してしまうことにより、点滴が終了する前に滴下しなくなる不具合が生じていた。
【０００３】
【発明が解決しようとする課題】
パンスポリン静注用１ｇバックに従来の疎水性フィルター付点滴セットを装着後、パンスポリン静注用１ｇバック内の気体が疎水性フィルターから過剰に抜け出てしまい、パンスポリン静注用１ｇバック内の圧力が低下してしまうことにより、点滴が終了する前に滴下しなくなる不具合を解消することが、本発明の課題であった。
【０００４】
【課題を解決するための手段】
疎水性フィルター付点滴セットの点滴筒にある疎水性フィルターの通気孔を点滴使用前は閉じておき、点滴使用時に開くことができるような部品を取り付けることを手段とした。
【０００５】
【発明の実施の形態】
パンスポリン静注用１ｇバックに点滴筒の通気孔を開閉できる疎水性フィルター付点滴セットを通気孔の閉じた状態で装着し、バックを吊るした後に通気孔を開く。
【０００６】
【実施例】
図１および図２の通気孔（４）を図３の底面の通気孔（４）の場所で、図４のシールａ（ａ）、シールｂ（ｂ）、栓（ｃ）などの部品により通気孔（４）の開閉を行う。
【０００７】
シールａ（ａ）では、図３の通気孔（４）を覆うようにシールａ　（ａ）を貼り付けて通気孔（４）を閉じた状態にする。通気孔（４）を開くときには、針などで穴を開けて通気する。
【０００８】
シールｂ（ｂ）では、図３の通気孔（４）を覆うようにシールｂ（ｂ）を貼り付けて通気孔（４）を閉じた状態にする。通気孔（４）を開くときには、シールｂ（ｂ）を剥がして通気孔（４）を開いた状態にする。
【０００９】
栓（ｃ）では、図３の通気孔（４）に栓（ｃ）を嵌め込んで通気孔（４）を閉じた状態にする。通気孔（４）を開くときには、栓（ｃ）を外して通気孔（４）を開いた状態にする。
【００１０】
【発明の効果】
パンスポリン静注用１ｇバック内の気体が疎水性フィルターから過剰に抜け出てしまうことがなくなり、パンスポリン静注用１ｇバック内の圧力が低下してしまい点滴が終了する前に滴下しなくなる不具合を解消できた。
また、本発明は、他の疎水フィルター付点滴筒においても同様の効果が得られる。
【図面の簡単な説明】
【図１】疎水フィルター付点滴筒の断面図である。
【図２】疎水フィルター付点滴筒の斜視図である。
【図３】疎水フィルター付点滴筒の底面図である。
【図４】通気孔を開閉する部品（ａ、ｂおよびｃ）の平面図（ａ，ｂ）と斜視図（ｃ）である。
【符号の説明】
１　コネクター部
２　点滴筒
３　疎水フィルター
４　通気孔
５　点滴チューブ
ａ　シールａ
ｂ　シールｂ
ｃ　栓
【図１】
2004049822.tif 000003
【図２】
2004049822.tif 000004
【図３】
2004049822.tif 000005
【図４】
2004049822.tif 000006
(57)【要約】【課題】肩や膝など曲面、球面部分を冷却するため、伸縮、変形しやすいネット型冷却液入りパットを提供する。又、使用面積を広げられるようにパット同士をつなげられるようにする。【解決手段】冷却液入りパットの面が、曲面、球面部分によくあたるように、伸縮、変形しやすいネット型にする。また、より広い面積を必要とする時には、パットに付いているマジックテープを使い、パット同士をつなげて、使用できるようにする。【選択図】　図１
2004049827.tif 000002
【特許請求の範囲】
【請求項１】
ネット型にすることによって伸縮、変形して、肩や肘、膝などの曲面や球面部分によくあたるようにした冷却用具。
【請求項２】
パットの端のマジックテープでパット同士を組み合わせて、面積を広く出来る。
【発明の詳細な説明】
【０００１】
本発明は、冷却液入りパットを伸縮、変形しやすいネット型にして、体の曲面、球面ラインなどにもよくあてられるようにしたものである。
【０００２】
【従来の技術】
従来の冷却液入りパット又は枕は、ネット型ではなかった。
パット同士もつなぎずらかった。
【０００３】
【発明が解決しようとする課題】
捻挫や打撲、関節の炎症などで、冷やしたい部分が曲面や球面だと枕型の冷却液入りパットでは、伸縮性が少なく、一方向の曲線にしか、あてずらかった。又、広い面積に使用する時に、複数のパットを使うとまとまりがなくなってしまう。本発明は、この課題を解消するためになされたものである。
【０００４】
【課題が解決するための手段】
図１のように、ネット型にしたパットを伸縮、変形させて、冷やしたい部分の形状に合わせて、あてられるようにした。また、マジックテープ２を使うことで、パット同士をつないで、使用面積を広げても、ばらばらにならないようにした。
【０００５】
【発明の実施の形態】
以下、本発明の実施の形態について説明する。
（イ）．マジックテープを付けるベロをだした、網目のシート２枚を裁断する。
（ロ）．網目に裁断されたシート二枚を張り合わせて、袋状になった空洞に、冷却液を注入し、入り口を閉じる。
（ハ）．ベロの部分にマジックテープ２を縫い付ける。
【０００６】
【発明の効果】
捻挫、打撲、関節の炎症、発熱などで、体の冷却が必要になった時にネット型の本発明を使うことで、伸縮、変形させることにより、患部のラインに合わせてパット面をあてることが出来る。また、体格の大きな人が使用する時や広い面積の冷却が必要になった時はマジックテープ２を使い、パット同士をつなげていくことが可能である。
【図面の簡単な説明】
【図１】本発明の正面図である。
【図２】本発明の断面図である。
【図３】本発明を膝、肩、肘にあてた時の略図である。
【符号の説明】
１　パット本体
２　マジックテープ
３　角穴
４　冷却液
【図１】
2004049827.tif 000003
【図２】
2004049827.tif 000004
【図３】
2004049827.tif 000005
(57)【要約】【課題】書簡などの情報伝達を，立体的な任意の形状の付与による提供と書簡を巻紙形式で送れる事により，伝統的な手紙の形式を，新しい方法で情報伝達できるレターケースを提供する。【解決手段】環状に形成したケース本体▲１▼の表面に凹部▲２▼を円周上に形成し．ケース本体の下部にＬ状▲３▼の部位を形成し，さらに，切断溝▲４▼，▲５▼を切断し，蓋▲６▼を形成でき，蓋▲６▼に嵌合ツメ部を構成させる事により粘土細工と書簡の郵送等を可能にせしめたことを特徴とする。【選択図】　図１
2004049825.tif 000002
【特許請求の範囲】
【請求項１】
使用者が粘土で任意の形状を付与するレターケースにおいて，環状を有するケース本体▲１▼の表面に凹部▲２▼をケース本体▲１▼の全周に数条形成せしめ，且つ，ケース本体▲１▼の底部を内にＬ状▲３▼に形成し，さらに，Ｌ状▲３▼の下部に切断溝▲４▼と切断溝▲４▼より深い切断溝▲５▼を形成，切断溝▲５▼を切断する事で形成できる蓋部▲６▼に，嵌合ツメ部▲７▼を円周部に４ケ所形成し．Ｌ状▲３▼に嵌合する構成にしたレターケース。
【発明の詳細な説明】
【０００１】
【発明に属する技術分野】
本発明は，環状を有するケース本体表面の円周上に凹部を設けて粘土の固着性を高め，任意の形状が付与でき，且つ，ケース本体の内に書簡を入れる為，切断溝を介して切断する事で可能になり，切断溝の下部がケース本体の蓋になり，蓋に嵌合ツメ部を形成することで，ケース本体に蓋を固定できる様にしたレターケースに関するものである。
【０００２】
【従来の技術】
従来，手紙を送るには，大小の規格化された矩形の封筒に便箋をいれる方式であった。
【０００３】
【発明が解決しようとする課題】
従来，手紙の入れ物である封筒は，サイズの違い，紙質の違い，色柄の違い位しか選択肢がなく，書簡による情報伝達としては，平面的であり，画一的で形骸化していた。
本発明は，これらの欠点を除くためになされたものである。
【０００４】
【課題を解決するための手段】
これらの欠点を解消する為に，使用者が粘土で任意の形状を付与できる，且つ，書簡が内蔵できる環状のケース本体▲１▼と粘土との固着性を高める為にケース本体▲１▼の表面に凹部▲２▼を円周上に設け，さらに，底側に内に折り曲がるＬ状▲３▼を形成し，溝▲４▼，▲５▼を切断する事で，手紙がケース本体▲１▼に投入でき，切断溝▲５▼の下部が蓋▲６▼になり，かつ，蓋▲６▼側に設けた嵌合ツメ部▲７▼がＬ状▲３▼と嵌合する構成とし蓋▲６▼をセットし郵送出来，受け取った側が置物等に使用出来る様にした。
本発明は，以上の構成によりなるレターケースである。
【０００５】
【発明の実施の形態】
以下，本発明の実施の形態について説明する。
（ア），ケース本体▲１▼の表面に凹部▲２▼を円周上に設ける。
（イ），ケース本体▲１▼の底側にＬ状▲３▼が構成できる溝▲４▼を設ける。
（ウ），さらに，溝▲４▼より，深い溝▲５▼を設ける。
（エ），溝▲５▼より下部の蓋▲６▼にＬ部▲３▼と嵌合する嵌合ツメ部▲７▼を設ける。
本発明は以上の構造で，これを使用する場合は，ケース本体▲１▼の表面に，粘土を適度の厚さに，切断溝▲４▼の下部を除くケース全体に被せ押さえつけ，任意の形状に工作する。さらに，色を変えたりする部位には，異なる着色粘土を形成させる。これを乾燥させた後に，切断溝▲４▼，▲５▼を切断し，巻紙にした書簡等を入れ，蓋▲６▼をして，その儘郵送するか，手渡すか，箱に入れて郵送する。
【０００６】
【発明の効果】
このように，書簡などの情報伝達が，立体的な任意の形状を付与する事。および，書簡を巻紙形式で送れる事により，伝統的な手紙の形式を，新しい方法に変えることができた。
【図面の簡単な説明】
【図１】レターケースの正面図である。
【図２】レターケースのＡ−Ａ断面図である。
【符号の説明】
▲１▼　ケース本体
▲２▼　凹部
▲３▼　Ｌ状部
▲４▼　切断溝
▲５▼　切断溝
▲６▼　蓋部
▲７▼　嵌合ツメ部
【図１】
2004049825.tif 000003
【図２】
2004049825.tif 000004